(57)【要約】  【課題】  シリンダの洗浄を実効あらしめるようにすること。  【解決手段】  第１シリンダ１０の先端部１０ａ及び第２シリンダ１５の先端部１５ａを連結・被覆するカバー体１００の表面に向けて、カバー体洗浄ノズル２０から、洗浄水を、水平面上で広角度に噴出させ、汚れが付着し易いカバー体１００の表面を洗浄する。  【選択図】  図２
2005171735.tif 000002
【特許請求の範囲】
【請求項１】
肛門に洗浄水を噴出して前記肛門を洗浄する肛門洗浄ノズルを軸方向に進退可能に収納する肛門洗浄シリンダと、ビデ部に洗浄水を噴出して前記ビデ部を洗浄するビデ部洗浄ノズルを軸方向に進退可能に収納し、肛門洗浄シリンダと並置されるビデ部洗浄シリンダとを備えた温水洗浄便座装置において、前記肛門洗浄シリンダの先端部及び前記ビデ部洗浄シリンダの先端部を連結・被覆するカバー体と、前記カバー体の表面を洗浄するカバー体洗浄ノズルとを備えた温水洗浄便座装置。
【請求項２】
前記カバー体は、前記カバー体洗浄ノズルに向かって下降傾斜している、請求項１記載の温水洗浄便座装置。
【請求項３】
前記下降傾斜の終端は、前記双方の洗浄シリンダの径中心より上側に位置している、請求項２記載の温水洗浄便座装置。
【発明の詳細な説明】
【技術分野】
【０００１】
本発明は、温水洗浄便座装置に関し、特に、人体局部洗浄ノズルを収納するシリンダの洗浄技術に係るものである。
【背景技術】
【０００２】
温水洗浄便座装置において、人体局部を洗浄するための人体局部洗浄ノズルは、洗浄飛沫等が降りかかり、汚染される。このようにして汚れたノズルを清掃するために、特許文献１に記載された技術が提案されている。この公報によれば、肛門洗浄用ノズルを収容するシリンダ及びビデ洗浄用ノズルを収納するシリンダの双方に少量ずつ温水を送る中立位置を温水流路切り換え弁に設けることにより、両ノズルをシリンダから前進させていない状態で両ノズル孔から洗浄水を噴出させ、このようにして噴出した洗浄水で、ノズル自らの外表面を洗浄するというものである。
【特許文献１】特許第３４５４１２０号公報
【発明の開示】
【発明が解決しようとする課題】
【０００３】
上記のような従来技術によって、ノズル自体を洗浄することはできるが、ノズルを収納するシリンダもノズル同様洗浄飛沫が降りかかり、汚染されている。このようにして汚れたシリンダを清掃するためには、使用者がブラシ等で清掃しているのが現状であり、手間がかかる上に洗いにくいといった問題があった。
【０００４】
また、シリンダの汚れを落とすために、シリンダに水を降りかけて汚れを洗い落とす方法が考えられるが、一般的にシリンダの形状はノズルを収納するために円筒状に形成されており、その全周を洗浄するためには、複数箇所から水をかけて洗う必要がある。このため、スペース的な制約により不可能な場合が多く、仮に可能であっても、水をかける手段が複数必要であることからコスト的に不利であるという問題がある。
【０００５】
それゆえに、本発明は、簡易な方法で、汚れを除去できる温水洗浄便座装置を提供することを、その課題とする。
【課題を解決するための手段】
【０００６】
上記の課題を解決するために請求項１で講じた技術的手段は、肛門に洗浄水を噴出して前記肛門を洗浄する肛門洗浄ノズルを軸方向に進退可能に収納する肛門洗浄シリンダと、ビデ部に洗浄水を噴出して前記ビデ部を洗浄するビデ部洗浄ノズルを軸方向に進退可能に収納し、肛門洗浄シリンダと並置されるビデ部洗浄シリンダとを備えた温水洗浄便座装置において、前記肛門洗浄シリンダの先端部及び前記ビデ部洗浄シリンダの先端部を連結・被覆するカバー体と、前記カバー体の表面を洗浄する水を噴射する洗浄ノズルとを備えたことである。  
【発明の効果】
【０００７】
請求項１に記載の発明によれば、汚れはカバー体の表面に付着するので、この汚れを洗浄ノズルから噴射される水により、除去することができる。しかして、カバー体の表面を、噴射された水が一様に流れる形状にするか、カバー体の表面に対して水を広角的に噴射するようにしておけば、汚れ除去を確実なものとすることができる。また、カバー体を肛門洗浄シリンダの先端部及びビデ部洗浄シリンダの先端部に対して着脱自在としておけば、カバー体を既存の温水洗浄便座装置の洗浄シリンダの先端部及びビデ部洗浄シリンダの先端部を連結・被覆することが出来、実用上、多大な効果を奏する。
【発明を実施するための最良の形態】
【０００８】
以下、本発明を実施するための最良の形態を、図面を基に説明する。
【０００９】
図１は、本発明の実施の形態における温水洗浄便座装置が取付けられたシャワートイレの全体斜視図、図２は、温水洗浄便座装置のシリンダ部分の平面図、図３は、ノズルが収容されたシリンダの縦断面図である。図において、温水洗浄便座装置は、便器１の上面後部に載置される本体２を備える。本体２には、便座１３及び弁蓋１４が枢着されている。また、本体２の内部には、ブラケット３０が装架されており、このブラケット３０上には、第１シリンダ１０及び第２シリンダ１５が固定されている。しかして、第１シリンダ１０及び第２シリンダ１５内には、第１人体局部洗浄ノズル１１（肛門洗浄用）及び第２人体局部洗浄ノズル１６（女性局部洗浄用）が軸方向に進退可能に収容されている。また、第１シリンダ１０の先端部１０ａ及び第２シリンダ１５の先端部１５ａが、カバー体１００により、連結・被覆されている。
【００１０】
このカバー体１００の第１シリンダ１０の先端部１０ａ及び第２シリンダ１５の先端部１５ａへの連結・被覆は、図１１〜図１３に示されるように、カバー体１００の一方の側部に形成された弾性爪１００ａ及び他方の側部に形成された弾性爪１００ｃを、夫々、第１シリンダ１０の先端部１０ａ及び第２シリンダ１５の先端部１５ａの外面に着脱可能に弾着させることによりなされる。この着脱自在の構成は、カバー体１００を、既存の温水洗浄便座装置に後付けでき、実用的である。固より、図１４〜図１６に示されるように、第１シリンダ１０の先端部１０ａの上面及び第２シリンダ１５の先端部１５ａの上面に一体的に形成しても良い。この場合、図１５から明らかなように、カバー体１００のカバー体洗浄ノズル２０（後述）方向に向かって下降傾斜おり、その終端は、前記双方の洗浄シリンダの径中心より上側に位置している。
【００１１】
図２に示すように、第２シリンダ１５に隣接して、カバー体洗浄ノズル２０が設置されている。このカバー体洗浄ノズル２０は、後述するように、水平面上で広角度に広がって洗浄水を、第１シリンダ１０の先端部１０ａの上面及び第２シリンダ１５の先端部１５ａの上面を架橋して連結・被覆するカバー体１００の表面上に向けて、汚れが特に付着し易いこの表面を洗浄するためのものである。
【００１２】
図７は、第１シリンダ１０及び第２シリンダ１５に洗浄水を供給するための水回路の概略図である。図に示すように、第１シリンダ１０、第２シリンダ１５、シリンダカバー体洗浄ノズル２０は、各々、切り換え弁３４の第１アウトレットポート３４ａ、第２アウトレットポート３４ｂ、第３アウトレットポート３４ｃに接続されている。切り換え弁３４のインレットポート３４ｄは、本体２内部に形成された温水タンク３３の出口に位置するバキュームブレーカー６０に接続されている。温水タンク３３の入口は、逆止弁３２、調圧弁３１及び電磁弁３０を介して水圧源（図示略）に連結されている。
【００１３】
しかして、切り換え弁３４は、ステッピングモータ３４Ａの回転位置に応じて、第１アウトレットポート３４ａ、第２アウトレットポート３４ｂ及び第３アウトレットポート３４ｃの何れかがインレットポート３４ｄと連通するようになっており、電磁弁３０が開かれて温水タンク３３内に水圧が供給されたことに伴いバキュームブレーカー６０から吐出された温水が、切り換え弁３４を経て、第１シリンダ１０、第２シリンダ１５、カバー体洗浄ノズル２０の何れかに圧送される。第１シリンダ１０（第２シリンダ１５）へ温水が圧送されたときは、当該水圧により、周知のように、第１人体局部洗浄ノズル１１（第２人体局部洗浄ノズル１６）が所定位置まで伸長して、洗浄水を噴出孔１２から噴出させて肛門（女性局部）を洗浄するようになっている。温水タンク３３からカバー体洗浄ノズル２０に温水が供給されたときは、該カバー体洗浄ノズル２０から洗浄水が噴出する。
【００１４】
温水タンク３３からカバー体洗浄ノズル２０に温水が供給されているときは、両シリンダ１０、１５に洗浄水が供給されていないので、両ノズル１１、１６は、各々後退して両シリンダ１０、１５内に収納されて休止位置にある。この状態において、カバー体洗浄ノズル２０からは、図２に示すように、水平面上で広角度に広がって洗浄水が噴出されている。具体的には、カバー体洗浄ノズル２０から噴出される洗浄水の基準噴出方向（広がりの二等分線分方向）は、図のＬで示す矢印方向であり、この方向は、第２シリンダ１５の軸方向とほぼ平行（図では若干傾いている）である。この基準噴出方向から所定の角度だけ水平方向両側に広がって洗浄水が噴出されており、このような扇形状の広がりをもって、洗浄水が広角度で噴出されている。
【００１５】
図８は、カバー体洗浄ノズル２０を示す側面図であり、点線部分は内部形状の平面視を示している。図９は、図８のＢ−Ｂ方向矢視図、図１０は、図８のＡ部拡大図である。図に示すように、カバー体洗浄ノズル２０は、内部流路４２に接続されたノズル孔４５が、該ノズル２０の先端部（図８において右側端部）に形成されている。ノズル孔４５は、内部流路４２に接続している基端側４３から先端にかけて、鉛直（上下）外方向に広がったテーパ面４１が形成されており、このテーパ面４１によって、ノズル孔４５が水平方向に広角度に広がって開口され、扇形状に形成されている。また、図９からわかるように、ノズル孔４５は水平方向に沿って偏平面がある偏平楕円状に形成されている。つまり、ノズル孔４５は、水平方向に偏平された末広がり状（広角度状）に形成される。
【００１６】
上記のようなノズル孔４５が形成されたカバー体洗浄ノズル２０に温水タンク３３から洗浄水が圧送されると、ノズル４５から洗浄水が噴出されるが、その噴出形態は、水平面的に見て広角度の略扇形状２０ａをなし（図４参照）、側面（噴射方向を横から見たとき）は棒状２０ｔをなし（図５参照）、そして正面（洗浄水が噴出される側から見たとき）は偏平楕円２０ｃをなす（図６参照）。つまり、洗浄水は、偏平された広角度（末広がり）状に噴出される。
【００１７】
かような態様でカバー体洗浄ノズル２０のノズル孔４５から噴射された温水は、第１シリンダ１０の先端部１０ａの上面及び第２シリンダ１５の先端部１５ａの上面を架橋して連結・被覆するカバー体１００の表面上を流れるようになるが、洗浄水は、水平面上を広角度に広がって噴出されているので、この表面は満遍なく洗浄される。
【００１８】
尚、図１５に示されるように、カバー体１００のカバー体洗浄ノズル２０側が下降傾斜している場合、カバー体洗浄ノズル２０のノズル孔４５から噴射された温水は、この傾斜面に当たって効率良く、カバー体１００の表面に這い上がって、この表面上を流れ、表面を満遍なく洗浄する。
【００１９】
以上、本発明の実施の形態について説明したが、本発明は上述した実施の形態に限定される糸はなく、本発明の趣旨に沿った形態の構成であれば、どのようなものでもよい。
【図面の簡単な説明】
【００２０】
【図１】本発明の実施の形態における、温水洗浄便座装置が取付けられたシャワートイレの全体斜視図である。
【図２】本発明の実施の形態における、シリンダ部分の平面図である。
【図３】本発明の実施の形態における、ノズルを収容したシリンダの断面図である。
【図４】本発明の実施の形態における、シリンダ洗浄ノズルから噴出される洗浄水の噴出態様を水平面から見た図である。
【図５】本発明の実施の形態における、シリンダ洗浄ノズルから噴出される洗浄水の噴出態様を側面から見た図である。
【図６】本発明の実施の形態における、シリンダ洗浄ノズルから噴出される洗浄水の噴出態様を正面から見た図である。
【図７】本発明の実施の形態における、洗浄水の水回路の概略図である。
【図８】本発明の実施の形態における、シリンダ洗浄ノズルの側面図である。
【図９】図７のＢ−Ｂ矢視図である。
【図１０】図７のＡ部拡大図である。
【図１１】第１形態例に係るカバー体が装着されたときの平面図である。
【図１２】図１１のＰ−Ｐに沿う断面図である。
【図１３】第１形態例に係るカバー体の装着構造を示す図である。
【図１４】第２形態例に係るカバー体が装着されたときの平面図である。
【図１５】図１４のＲ−Ｒに沿う断面図である。
【図１６】図１４のＳ方向矢視図である。
【図１７】図１４のＴ−Ｔに沿う断面図である。
【符号の説明】
【００２１】
１０：第１シリンダ（シリンダ）
１１：第１人体局部洗浄ノズル（人体局部洗浄ノズル）
１２：噴出孔
１５：第２シリンダ（シリンダ）
１６：第２人体局部洗浄ノズル（人体局部洗浄ノズル）
１７：噴出孔
２０：カバー体洗浄ノズル
４１：テーパ面
４３：基部
４５：ノズル孔
１００：カバー体
【図１】
2005171735.tif 000003
【図２】
2005171735.tif 000004
【図３】
2005171735.tif 000005
【図４】
2005171735.tif 000006
【図５】
2005171735.tif 000007
【図６】
2005171735.tif 000008
【図７】
2005171735.tif 000009
【図８】
2005171735.tif 000010
【図９】
2005171735.tif 000011
【図１０】
2005171735.tif 000012
【図１１】
2005171735.tif 000013
【図１２】
2005171735.tif 000014
【図１３】
2005171735.tif 000015
【図１４】
2005171735.tif 000016
【図１５】
2005171735.tif 000017
【図１６】
2005171735.tif 000018
【図１７】
2005171735.tif 000019